(57)【要約】      （修正有）【課題】通気ダクトの通気可能状態を維持することができる放熱機能付き衣服を提供する。【解決手段】外部と連通する吹出口２１１及び吸込口２４１をそれぞれ少なくとも１つずつ有している通気ダクト２が表布と裏布との間に画成されている衣服本体１と、表布と裏布との間の通気ダクト２に該当する箇所に介在して通気ダクト２の通気可能状態を維持するスペーサ手段３と、通気ダクト２と連通するように配置されていると共に、外部の空気を吸込口２４１を経由して通気ダクト２内に吸い込んでから吹出口２１１を経由して吹出す空気の流れを駆動する空気駆動手段４と、空気駆動手段４を制御することができるように、空気駆動手段４と電気的に接続されている制御手段５とを具えている。【選択図】図１
0003197472.tif 000002
【実用新案登録請求の範囲】
【請求項１】
重なる表布と裏布からなったものであって、人体の背中を覆うことができる背中部と、人体の前面を覆うことができる前面部と、前記背中部と前記前面部とをそれぞれ繋ぐ右側部及び左側部と、を有すると共に、前記背中部と前記前面部と前記右側部と前記左側部とを全て通過し、且つ外部と連通する吹出口及び吸込口をそれぞれ少なくとも１つずつ有している通気ダクトが前記表布と前記裏布との間に画成されている衣服本体と、
前記表布と前記裏布との間の前記通気ダクトに該当する箇所に介在して前記通気ダクトの通気可能状態を維持するスペーサ手段と、
前記通気ダクトと連通するように前記衣服本体の前記右側部と前記左側部とのうちの少なくとも１つに対応して配置されていると共に、外部の空気を前記吸込口を経由して前記通気ダクト内に吸い込んでから前記吹出口を経由して吹出す空気の流れを駆動することによって、人体を冷却する効果を発揮する空気駆動手段と、
前記空気駆動手段を制御することができるように、該空気駆動手段と電気的に接続されている制御手段と、
を具え、
前記通気ダクトは、
前記背中部において上下に延伸し、下端に外部と連通する第１の吹出口を有する背中通気路と、
前記前面部において上下に延伸し、下端に外部と連通する前面吹出口を有する前面通気路と、
前記右側部において上下に延伸し、下端に外部と連通する第１の吸込口を有する右側通気路と、
前記左側部において上下に延伸し、下端に外部と連通する第２の吸込口を有する左側通気路と、
前記背中通気路と前記前面通気路と前記右側通気路と前記左側通気路とのそれぞれの上端を互いに連通させる連通路と、
を有するように構成されており、
前記スペーサ手段は、前記背中通気路と前記前面通気路と前記右側通気路と前記左側通気路とに沿って延伸するようにこれら通気路内にそれぞれ収容されるサポータを具えており、
前記空気駆動手段は、前記右側通気路が有する前記第１の吸込口の近辺と、前記左側通気路が有する前記第２の吸込口の近辺と、にそれぞれ配置され、外部の空気を前記第１の吸込口と前記第２の吸込口を経由して前記通気ダクト内に吸い込んでから前記第１の吹出口と前記前面吹出口を経由して吹出す空気の流れを駆動する２つのファンユニットを有するように構成されている、
ことを特徴とする放熱機能付き衣服。
【請求項２】
前記ファンユニットには、吸熱側端面及び放熱側端面を有するサーモモジュールが、前記吸熱側端面が前記通気ダクトに向かうように取り付けられていることを特徴とする請求項１に記載の放熱機能付き衣服。
【請求項３】
前記サーモモジュールの前記放熱側端面には、複数の放熱フィンが形成されていることを特徴とする請求項２に記載の放熱機能付き衣服。
【請求項４】
前記衣服本体の下端に接続される裾ピースを更に有し、
前記空気駆動手段が有する前記２つのファンユニットは、
前記裾ピースにおいて前記衣服本体の前記左側部及び前記右側部にそれぞれ臨む箇所に配置されていることを特徴とする請求項３に記載の放熱機能付き衣服。
【請求項５】
前記衣服本体と前記裾ピースとは、線ファスナーと面ファスナーとのいずれか１つで互いに接続できるように構成されていることを特徴とする請求項４に記載の放熱機能付き衣服。
【請求項６】
前記制御手段は、前記ファンユニット及び前記サーモモジュールに電力を提供する電源部と、前記ファンユニット及び前記サーモモジュールの作動を制御する制御部と、を有するように構成されていると共に、前記裾ピースにおいて前記衣服本体の前記背中部に臨む箇所に配置されていることを特徴とする請求項４または請求項５に記載の放熱機能付き衣服。
【請求項７】
前記スペーサ手段は、前記表布及び前記裏布の前記通気ダクトに対応する箇所に、互いに間を空けて配置されるように、前記表布から前記裏布に向かって突出する第１のスペーサブロックと、前記裏布から前記表布に向かって突出する第２のスペーサブロックと、を有していることを特徴とする請求項１〜請求項６のいずれか一項に記載の放熱機能付き衣服。
【請求項８】
前記サポータは、一列に繋がる複数の可撓性中空枠ユニットによって管状に構成されていることを特徴とする請求項１に記載の放熱機能付き衣服。
【請求項９】
前記サポータは、可撓性材料により形成されて板状部と前記板状部の一面から突出する少なくとも一対のサポート突起とを有し、
前記板状部が前記表布と前記裏布とにおける一方に当接し、前記一対のサポート突起が前記表布と前記裏布とにおける他方に当接するように各前記通気路内にそれぞれ配置されていることを特徴とする請求項１に記載の放熱機能付き衣服。
【請求項１０】
前記ファンユニットに係止接続されて外部からの冷気を前記ファンユニットを経由して前記通気ダクト内に送り込む冷気パイプを更に具えていることを特徴とする請求項１に記載の放熱機能付き衣服。
【考案の詳細な説明】
【技術分野】
【０００１】
本考案は、放熱機能付き衣服に関し、特に、通気ダクトを有する放熱機能付き衣服に関する。
【背景技術】
【０００２】
エア・コンディショナーなど、室内の空気の温度や湿度などを調整する空調設備は、長年使われてきたが、消費電力が大きく、そして温室効果ガスであるＨＣＦＣ（ハイドロクロロフルオロカーボン）やＨＦＣ（ハイドロフルオロカーボン）の漏洩問題など、エコロジーの視点からその利用は好ましくない。
【０００３】
従って、例えば特許文献１に記載の放熱機能付き衣服が開発された。このような放熱機能付き衣服は、重なる表布と裏布からなったものであって、表布と裏布との間に通気ダクトが画成され、且つ前面側と背面側にそれぞれ配置されている上向きの吹出口と、その下側に配置されている吸込口と、を有する上、通気ダクト内の空気の流れを駆動ファンユニットを使用して着用者の体を冷却する効果を発揮するように構成されている。
【先行技術文献】
【特許文献】
【０００４】
【特許文献１】国際公開第２００４／００６６９９号パンフレット
【考案の概要】
【考案が解決しようとする課題】
【０００５】
しかし、このように構成された放熱機能付き衣服は、例えば着用者が椅子の背もたれにもたれ掛かるなどの姿勢をとって吸込口や吹出口が塞がれると、冷却効果を十分に発揮できなくなる欠点がある。
【０００６】
上記問題点に鑑みて、本考案は、通気ダクトの通気可能状態を維持することができる放熱機能付き衣服の提供を目的とする。
【課題を解決するための手段】
【０００７】
上記目的を達成すべく、本考案は、重なる表布と裏布からなったものであって、人体の背中を覆うことができる背中部と、人体の前面の右側を覆うことができる右前部と、人体の前面の左側を覆うことができる左前部と、前記背中部と前記右前部とを繋ぐ右側部と、前記背中部と前記左前部とを繋ぐ左側部と、を有すると共に、前記背中部と前記右前部と前記左前部と前記右側部と前記左側部とを全て通過し、且つ外部と連通する吹出口及び吸込口をそれぞれ少なくとも１つずつ有している通気ダクトが前記表布と前記裏布との間に画成されている衣服本体と、前記表布と前記裏布との間の前記通気ダクトに該当する箇所に介在して前記通気ダクトの通気可能状態を維持するスペーサ手段と、前記通気ダクトと連通するように前記衣服本体の前記右側部と前記左側部とのうちの少なくとも１つに対応して配置されていると共に、外部の空気を前記吸込口を経由して前記通気ダクト内に吸い込んでから前記吹出口を経由して吹出す空気の流れを駆動することによって、人体を冷却する効果を発揮する空気駆動手段と、前記空気駆動手段を制御することができるように、該空気駆動手段と電気的に接続されている制御手段と、を具えていることを特徴とする放熱機能付き衣服を提供する。
【０００８】
また、本考案は、重なる表布と裏布からなったものであって、人体の背中を覆うことができる背中部と、人体の前面を覆うことができる前面部と、前記背中部と前記前面部とをそれぞれ繋ぐ右側部及び左側部と、を有すると共に、前記背中部と前記前面部と前記右側部と前記左側部とを全て通過し、且つ外部と連通する吹出口及び吸込口をそれぞれ少なくとも１つずつ有している通気ダクトが前記表布と前記裏布との間に画成されている衣服本体と、前記表布と前記裏布との間の前記通気ダクトに該当する箇所に介在して前記通気ダクトの通気可能状態を維持するスペーサ手段と、前記通気ダクトと連通するように前記衣服本体の前記右側部と前記左側部とのうちの少なくとも１つに対応して配置されていると共に、外部の空気を前記吸込口を経由して前記通気ダクト内に吸い込んでから前記吹出口を経由して吹出す空気の流れを駆動することによって、人体を冷却する効果を発揮する空気駆動手段と、前記空気駆動手段を制御することができるように、該空気駆動手段と電気的に接続されている制御手段と、を具え、前記通気ダクトは、前記背中部において上下に延伸し、下端に外部と連通する第１の吹出口を有する背中通気路と、前記前面部において上下に延伸し、下端に外部と連通する前面吹出口を有する前面通気路と、前記右側部において上下に延伸し、下端に外部と連通する第１の吸込口を有する右側通気路と、前記左側部において上下に延伸し、下端に外部と連通する第２の吸込口を有する左側通気路と、前記背中通気路と前記前面通気路と前記右側通気路と前記左側通気路とのそれぞれの上端を互いに連通させる連通路と、を有するように構成されており、前記スペーサ手段は、前記背中通気路と前記前面通気路と前記右側通気路と前記左側通気路とに沿って延伸するようにこれら通気路内にそれぞれ収容されるサポータを具えており、前記空気駆動手段は、前記右側通気路が有する前記第１の吸込口の近辺と、前記左側通気路が有する前記第２の吸込口の近辺と、にそれぞれ配置され、外部の空気を前記第１の吸込口と前記第２の吸込口を経由して前記通気ダクト内に吸い込んでから前記第１の吹出口と前記前面吹出口を経由して吹出す空気の流れを駆動する２つのファンユニットを有するように構成されていることを特徴とする放熱機能付き衣服をも提供する。
【考案の効果】
【０００９】
上記構成によれば、本考案の放熱機能付き衣服は、衣服本体を構成する表布と裏布との間において通気ダクトに該当する箇所に介在するスペーサ手段を具えているので、通気ダクトが着用者の姿勢によって塞がれることを防いで空気が通気ダクトを通過することによる冷却効果を確実に発揮することができる。
【図面の簡単な説明】
【００１０】
【図１】本考案の放熱機能付き衣服の第１の実施形態の構成が示される平面透視図である。
【図２】本考案の放熱機能付き衣服の第１の実施形態におけるスペーサブロックが示される一部断面図である。
【図３】本考案の放熱機能付き衣服の第１の実施形態におけるサポータの構成が示される斜視図である。
【図４】本考案の放熱機能付き衣服の第１の実施形態における制御手段の大まかな構成が示されるブロック図である。
【図５】本考案の放熱機能付き衣服の第１の実施形態が着用されている様子が示される説明図である。
【図６】本考案の放熱機能付き衣服の第１の実施形態が着用されている様子が示される説明図である。
【図７】本考案の放熱機能付き衣服の第１の実施形態が着用されている様子が示される説明図である。
【図８】本考案の放熱機能付き衣服の第１の実施形態における冷気パイプとファンユニットの構成が示される分解斜視図である。
【図９】本考案の放熱機能付き衣服の第１の実施形態における冷気パイプがファンユニットに取り付けられている様子が示される斜視図である。
【図１０】本考案の放熱機能付き衣服の第１の実施形態における冷気パイプがファンユニットから取り外される様子が示される斜視図である。
【図１１】本考案の放熱機能付き衣服の第２の実施形態の構成が示される平面透視図である。
【図１２】本考案の放熱機能付き衣服の第２の実施形態におけるサポータの構成が示される斜視図である。
【図１３】本考案の放熱機能付き衣服の第２の実施形態におけるスペーサブロック及びサポータが示される一部断面図である。
【図１４】本考案の放熱機能付き衣服の第３の実施形態の構成が示される平面透視図である。
【図１５】本考案の放熱機能付き衣服の第４の実施形態が着用されている様子が示される説明図である。
【考案を実施するための形態】
【００１１】
以下では各図面を参照しながら、本考案の各好ましい実施形態について詳しく説明する。
【００１２】
図１は、本考案の放熱機能付き衣服の第１の実施形態の構成が示される平面透視図であり、図２は、その一部断面図である。図示のように、本考案の放熱機能付き衣服は、中に通気ダクト２が画成されている衣服本体１と、衣服本体１の通気ダクト２に該当する箇所に介在して通気ダクト２の通気可能状態を維持するスペーサ手段３と、通気ダクト２と連通し、通気ダクト２内の空気の流れを駆動することによって、人体を冷却する効果を発揮する空気駆動手段４と、空気駆動手段４を制御する制御手段５と、を具えている。
【００１３】
また、図示のように、本考案の放熱機能付き衣服の第１の実施形態において、衣服本体１は、人体の背中を覆うことができる背中部１１と、人体の前面の右側を覆うことができる右前部１２と、人体の前面の左側を覆うことができる左前部１３と、背中部１１と右前部１２とを繋ぐ右側部１４と、背中部１１と左前部１３とを繋ぐ左側部１５と、を有すると共に、図２に示されているように、人体または下着に接触する裏布１０２と、裏布１０２に重なる表布１０１と、により上記背中部１１と右前部１２と左前部１３と右側部１４と左側部１５とが構成されている。また、裏布１０２として通気性と吸湿性に優れた生地を採用することが好ましい。更に、この実施形態の放熱機能付き衣服は、水平方向において右前部１２の下側から左前部１３の下側まで延伸するように衣服本体１の下端に接続される裾ピース６を有している。
【００１４】
通気ダクト２は、図１に示されているように、衣服本体１の背中部１１において上下に延伸し、下端に外部と連通する第１の吹出口２１１を有する背中通気路２１と、右前部１２において上下に延伸し、下端に外部と連通する第２の吹出口２２１を有する右前通気路２２と、左前部１３において上下に延伸し、下端に外部と連通する第３の吹出口２３１を有する左前通気路２３と、右側部１４において上下に延伸し、下端に外部と連通する第１の吸込口２４１を有する右側通気路２４と、左側部１５において上下に延伸し、下端に外部と連通する第２の吸込口２５１を有する左側通気路２５と、背中通気路２１と右前通気路２２と左前通気路２３と右側通気路２４と左側通気路２５とのそれぞれの上端を互いに連通させる連通路２６と、を有するように、衣服本体１を構成する表布１０１と裏布１０２との間に画成されている。
【００１５】
図１及び図２に示されているように、この実施形態において、スペーサ手段３は、通気ダクト２の背中通気路２１と右前通気路２２と左前通気路２３と右側通気路２４と左側通気路２５と連通路２６とに沿って延伸するように、これら通気路２１〜２５及び連通路２６内にそれぞれ収容されるサポータ３１と、表布１０１及び裏布１０２の通気ダクト２に対応する箇所に、表布１０１から裏布１０２に向かって突出する第１のスペーサブロック３２と、裏布１０２から表布１０１に向かって突出する第２のスペーサブロック３３と、を有している。
【００１６】
また、図３は、この実施形態におけるサポータ３１を構成する可撓性中空枠ユニット３１０の斜視図である。図示のように、可撓性中空枠ユニット３１０は、可撓性を有するゴムまたはプラスチック材料により作成されたもので、空気が通過できる通路３１５を囲む枠体３１１と、枠体３１１から通路３１５の延伸方向と直交する横方向の両側へそれぞれ突出する２つの延伸板３１２と、２つの延伸板３１２の通路３１５の延伸方向における一端部に凹設される２つの係止孔３１３と、２つの延伸板３１２の通路３１５の延伸方向における他端部から突出する２つの係止突起３１４と、を有するように構成されている。
【００１７】
この実施形態におけるサポータ３１は、複数の可撓性中空枠ユニット３１０が、１つの可撓性中空枠ユニット３１０の有する２つの係止突起３１４がそれぞれ他の１つの可撓性中空枠ユニット３１０の有する２つの係止孔３１３に嵌め込まれるように一列に繋がってなったもので、空気が各可撓性中空枠ユニット３１０の互いに連通する通路３１５を通過することができると共に、該サポータ３１が収容される通気路２１〜２５または連通路２６の通気可能状態を維持することができる。
【００１８】
また、図２に示されているように、スペーサ手段３は、表布１０１から裏布１０２に向かって突出する第１のスペーサブロック３２と、裏布１０２から表布１０１に向かって突出する第２のスペーサブロック３３と、を、互いに間を空けて配置されるように形成することにより、例え表布１０１が裏布１０２に押されて第１のスペーサブロック３２が裏布１０２に当接し、第２のスペーサブロック３３が表布１０１に当接するようになっても、間隔によって生じる各第１のスペーサブロック３２と第２のスペーサブロック３３との間の隙間で表布１０１と裏布１０２との間の通気可能状態を維持することができる。
【００１９】
空気駆動手段４は、通気ダクト２と連通し、通気ダクト２内の空気の流れを駆動することによって、人体を冷却する効果を発揮するものであり、この実施形態において、空気駆動手段４は、裾ピース６において、右側通気路２４が有する第１の吸込口２４１の近辺且つ衣服本体１の右側部１４に臨む箇所と、左側通気路２５が有する第２の吸込口２５１の近辺且つ衣服本体１の左側部１５に臨む箇所と、にそれぞれ配置され、外部の空気を第１の吸込口２４１と第２の吸込口２５１を経由して通気ダクト２内に吸い込んでから第１の吹出口２１１と第２の吹出口２２１と第３の吹出口２３１を経由して吹出す空気の流れを駆動する２つのファンユニット４１と、吸熱側端面４２１及び放熱側端面４２２を有し、前記吸熱側端面４２１が通気ダクト２に向かうようにファンユニット４１に取り付けられているサーモモジュール４２と、を具えている。
【００２０】
ファンユニット４１には、外部と連通する空気入り口４１１と、対応する第１の吸込口２４１または第２の吸込口２５１と連通する空気出口４１２と、が形成され、且つファンユニット４１は、裾ピース６に固定されているハウジング４１０と、ハウジング４１０内に収容されると共に、回転して空気入り口４１１から空気を吸い込んで空気出口４１２へ排出することができるように構成されているファン本体４１３と、を具えている。
【００２１】
サーモモジュール４２は、ファンユニット４１のハウジング４１０に取り付けられていると共に、吸熱側端面４２１で通気ダクト２に向かいながら、放熱側端面４２２にハウジング４１０を挿通する複数の放熱フィン４２３が形成されている。
【００２２】
図４は、制御手段５の大まかな構成が示されるブロック図である。図１及び図４に示されているように、制御手段５は、空気駆動手段４を制御するものであり、空気駆動手段４と電気的に接続してファン本体４１３の回転速度やサーモモジュール４２の温度を制御することができるように裾ピース６に取り付けられている制御部５１と、同じく裾ピース６に取り付けられ、制御部５１に電気的に接続し、制御部５１を介して空気駆動手段４及びサーモモジュール４２に作動に必要な電力を提供する電源部５２と、使用者が直接的に操作して制御部５１に制御信号を出力することができるリモートコントローラ５３と、同じく裾ピース６に取り付けられ、制御部５１に電気的に有線接続し、制御部５１を操作することができる操作パネル５４と、を具えるように構成されている。
【００２３】
更にまた、この実施形態の放熱機能付き衣服では、衣服本体１と裾ピース６とは、線ファスナーで互いに接続できるように構成されている。このように、電気部品や配線を裾ピース６に集中して配置することによって、衣服本体１を洗濯機などに入れて洗濯することが可能になると共に、裾ピース６の形状を単純にでき、裾ピース６を清潔に保つことにも便利である。
【００２４】
なお、衣服本体１における右前部１２の右側部１４と繋がる一側の反対側の端縁には、第１の接続部１６が取り付けられ、左前部１３の左側部１５と繋がる一側の反対側の端縁には、第２の接続部１７が取り付けられており、更に、第１の接続部１６と第２の接続部１７とは線ファスナーで互いに接続できるよう構成され、普通のコートなどと変わらない感覚で着用することができる。
【００２５】
ちなみに、この実施形態では、線ファスナーで衣服本体１と裾ピース６、そして右側部１４と左前部１３を接続するが、線ファスナー以外に例えば面ファスナーや紐、ボタンなど一般に衣服に使用される接続方法を適用することもできる。
【００２６】
図５〜図７は、本考案の放熱機能付き衣服の第１の実施形態が着用されている様子が示される説明図であり、それぞれ正面、背面、側面の着用状態に対応している。図示のように、上記構成を有する本実施形態の放熱機能付き衣服は、制御手段５で空気駆動手段４を起動すると、空気駆動手段４のファンユニット４１が外部の空気を衣服本体１の右側部１４と左側部１５にそれぞれ配置されている第１の吸込口２４１と第２の吸込口２５１を経由して通気ダクト２内に吸い込んでから、背中部１１と右前部１２と左前部１３とにそれぞれ配置されている第１の吹出口２１１と第２の吹出口２２１と第３の吹出口２３１を経由して吹出す空気の流れを駆動するので、通気ダクト２内に流れる空気が着用者の背中、脇下、胸元など汗がもっとも出やすい箇所を通過してそれらから分泌される汗を蒸発させて排出するので、着用者の身体を効果的に冷やして清涼感をもたらすことができる。
【００２７】
更に、図８は、本考案の放熱機能付き衣服の第１の実施形態において冷気パイプ２００とファンユニット４１の構成が示される分解斜視図であり、図９は、冷気パイプ２００がファンユニット４１に取り付けられている様子が示される分解斜視図であり、図１０は、冷気パイプ２００がファンユニット４１から取り外される様子が示される分解斜視図である。
【００２８】
図８〜図１０に示されるように、本考案の放熱機能付き衣服の第１の実施形態において、空気駆動手段４のファンユニット４１は、ハウジング４１０の空気入り口４１１の周縁に冷気パイプ２００と接続できる接続リング４３を更に設けることによって、外部から冷却された冷たい空気を出力する冷気パイプ２００と接続して、着用者に提供する清涼感を更に強化することができる。図示のように、接続リング４３は、略円環状に形成されたリング体４３０の内周面に可撓性を有するように該内周面から突出する弾性タブ４３１を複数有するように構成され、冷気パイプ２００の先端にはリング体４３０に内挿することができる接続ヘッド２０１が取り付けられ、該接続ヘッド２０１には各弾性タブ４３１にそれぞれ対応して各弾性タブ４３１を受け入れて係止できる係止溝２０２が形成されている。
【００２９】
この構成により外部から冷却された冷たい空気を出力する冷気パイプ２００は、接続リング４３を介して空気駆動手段４のファンユニット４１に取り付けられることが出来、且つ簡単に取り外すこともできる。
【００３０】
図１１は、本考案の放熱機能付き衣服の第２の実施形態の構成が示される平面透視図であり、図１２は、この第２の実施形態におけるサポータの構成が示される斜視図であり、図１３は、この第２の実施形態におけるスペーサブロック及びサポータが示される一部断面図である。
【００３１】
図１１〜図１３に示されているように、本考案の放熱機能付き衣服の第２の実施形態は第１の実施形態と類似する構成になっているが、スペーサ手段３が有するサポータの構成が第１の実施形態と異なっている。この第２の実施形態におけるスペーサ手段３が有するサポータ３４は、第１の実施形態と同じく、通気ダクト２の背中通気路２１と右前通気路２２と左前通気路２３と右側通気路２４と左側通気路２５と連通路２６とに沿って延伸するように、これら通気路２１〜２５及び連通路２６内にそれぞれ収容されているが、中空の枠状ではなく、図１２に示されているように可撓性材料により形成されて板状部３４１と板状部３４１の一面から突出し、且つ互いに平行に一列に並ぶ複数対のサポート突起３４２とを有するように構成されており、且つ、板状部３４１が表布１０１と裏布１０２とにおける一方に当接し、一対のサポート突起３４２が表布１０１と裏布１０２とにおける他方に当接するように各通気路２１〜２５及び連通路２６内にそれぞれ配置されている。
【００３２】
この構成により、本考案の放熱機能付き衣服の第２の実施形態は、一列に並ぶ複数対のサポート突起３４２の間を空気が通過することができるようになり、該サポータ３４が収容される通気路２１〜２５または連通路２６の通気可能状態を、各第１のスペーサブロック３２及び第２のスペーサブロック３３と共に維持することができ、即ち、第１の実施形態と同じ効果を発揮することができる。
【００３３】
また、図１４は、本考案の放熱機能付き衣服の第３の実施形態の構成が示される平面透視図である。
【００３４】
図示されているように、本考案の放熱機能付き衣服の第３の実施形態は、第１の実施形態に空気浄化手段を更に加えたものであり、この実施形態における空気浄化手段は、第１の吹出口２１１と第２の吹出口２２１と第３の吹出口２３１とにそれぞれ接続されている接続管７０１と、第１の吹出口２１１と第２の吹出口２２１と第３の吹出口２３１とにより吹き出された気体を接続管７０１を経由して受け入れて例えば冷却処理を含む浄化処理を行ってから排出することができるように構成された空気浄化ユニット７０２と、を有している。
【００３５】
なお、この図１４に示される第３の実施形態において、スペーサ手段３には図３に示された枠体３１１により構成される可撓性中空枠ユニット３１０を使用するサポータ３１が用いられているが、図１２に示されているように、可撓性材料により形成されて板状部３４１とサポート突起３４２とを有するように構成されたサポータ３４を用いることもできる。
【００３６】
また、図８〜図９に示されるように外部から冷却された冷たい空気を出力する冷気パイプ２００を接続リング４３を介して空気駆動手段４のファンユニット４１に取り付けることもできる。
【００３７】
更に、図１３に示されているように、スペーサ手段３として第１のスペーサブロック３２と第２のスペーサブロック３３とサポータ３４とを同時に用いることも可能である。
【００３８】
この構成により、本考案の放熱機能付き衣服の第３の実施形態を着た使用者が作業している環境における気温は、放熱機能付き衣服により吹き出された気体に影響されなくなると共に、その空気の品質を保つこともできる。
【００３９】
更にまた、図１５は、本考案の放熱機能付き衣服の第４の実施形態が着用されている様子が示される説明図である。
【００４０】
図示されているように、本考案の放熱機能付き衣服の第４の実施形態は、第１の実施形態と類似する構成になっているが、人体の前面を覆う部分が右前部と左前部に分けられておらず、一枚の前面部１８として構成されていると共に、前記通気ダクトは、この一枚構成の前面部１８に対応し、右前通気路と左前通気路の代わりに、前面部１８において上下に延伸し、下端に外部と連通する前面吹出口２７１を有する前面通気路２７を有しており、そしてこの実施形態における連通路２６は、背中通気路２１と前面通気路２７と右側通気路２４と左側通気路２５とのそれぞれの上端を互いに連通させるように形成され、そしてスペーサ手段３は、背中通気路２１と前面通気路２７と右側通気路２４と左側通気路２５とに沿って延伸するようにこれら通気路内にそれぞれ収容されるサポータ３１を具えており、空気駆動手段４は、右側通気路２４が有する第１の吸込口２４１の近辺と、左側通気路２５が有する第２の吸込口２５１の近辺と、にそれぞれ配置され、外部の空気を第１の吸込口２４１と第２の吸込口２５１を経由して通気ダクト内に吸い込んでから第１の吹出口２１１と前面吹出口２７１を経由して吹出す空気の流れを駆動する２つのファンユニット４１を有するように構成されている。
【００４１】
なお、この図１５に示される第３の実施形態において、スペーサ手段３には図３に示された枠体３１１により構成される可撓性中空枠ユニット３１０を使用するサポータ３１が用いられているが、図１２に示されているように、可撓性材料により形成されて板状部３４１とサポート突起３４２とを有するように構成されたサポータ３４を用いることもできる。
【００４２】
また、図８〜図９に示されるように外部から冷却された冷たい空気を出力する冷気パイプ２００を接続リング４３を介して空気駆動手段４のファンユニット４１に取り付けることもできる。
【００４３】
更に、図１３に示されているように、スペーサ手段３として第１のスペーサブロック３２と第２のスペーサブロック３３とサポータ３４とを同時に用いることも可能である。
【００４４】
この構成により、本考案の放熱機能付き衣服の第３の実施形態を着た使用者が作業している環境における気温は、放熱機能付き衣服により吹き出された気体に影響されなくなると共に、その空気の品質を保つこともできる。
【００４５】
即ち、本考案の放熱機能付き衣服の第４の実施形態は、第１の実施形態より簡略化された構成であるが、第１の実施形態と同等の機能を発揮することができる。
【産業上の利用可能性】
【００４６】
上記構成によれば、本考案の放熱機能付き衣服は、衣服本体を構成する表布と裏布との間において通気ダクトに該当する箇所に介在するスペーサ手段を具えているので、通気ダクトが着用者の姿勢によって塞がれることを防いで空気が通気ダクトを通過することによる冷却効果を確実に発揮することができ、人間と環境に優しい放熱機能付き衣服を提供することができる。
【符号の説明】
【００４７】
１  衣服本体
１０１  表布
１０２  裏布
１１  背中部
１２  右前部
１３  左前部
１４  右側部
１５  左側部
１６  第１の接続部
１７  第２の接続部
１８  前面部
２  通気ダクト
２００  冷気パイプ
２０１  接続ヘッド
２０２  係止溝
２１  背中通気路
２１１  第１の吹出口
２２  右前通気路
２２１  第２の吹出口
２３  左前通気路
２３１  第３の吹出口
２４  右側通気路
２４１  第１の吸込口
２５  左側通気路
２５１  第２の吸込口
２６  連通路
２７  前面通気路
２７１  前面吹出口
３  スペーサ手段
３１  サポータ
３１０  可撓性中空枠ユニット
３１１  枠体
３１２  延伸板
３１３  係止孔
３１４  係止突起
３１５  通路
３２  第１のスペーサブロック
３３  第２のスペーサブロック
３４  サポータ
３４１  板状部
３４２  サポート突起
４  空気駆動手段
４１  ファンユニット
４１０  ハウジング
４１１  空気入り口
４１２  空気出口
４１３  ファン本体
４２  サーモモジュール
４２１  吸熱側端面
４２２  放熱側端面
４２３  放熱フィン
４３  接続リング
４３０  リング体
４３１  弾性タブ
５  制御手段
５１  制御部
５２  電源部
５３  リモートコントローラ
５４  操作パネル
６  裾ピース
７０１  接続管
７０２  空気浄化ユニット
【図１】
0003197472.tif 000003
【図２】
0003197472.tif 000004
【図３】
0003197472.tif 000005
【図４】
0003197472.tif 000006
【図５】
0003197472.tif 000007
【図６】
0003197472.tif 000008
【図７】
0003197472.tif 000009
【図８】
0003197472.tif 000010
【図９】
0003197472.tif 000011
【図１０】
0003197472.tif 000012
【図１１】
0003197472.tif 000013
【図１２】
0003197472.tif 000014
【図１３】
0003197472.tif 000015
【図１４】
0003197472.tif 000016
【図１５】
0003197472.tif 000017